(57)【要約】【課題】再生装置において、他の機器の操作ボタンを用いて操作を行う際の使い勝手を良くする。【解決手段】リモコン装置により操作されるＴＶ受像機と、ＤＶＤ再生装置とが接続される。ＤＶＤ再生装置は、リモコン装置による動作指示をＴＶ受像機を介して受信可能であり、メモリと、複数の動作モードを有する制御用マイコンとを備える。メモリは、ＴＶ受像機から受信する各制御コマンドと動作情報との対応テーブルと、この対応テーブル中の動作情報を再生モードに対応した別の動作情報に変換するための再生モード対応テーブル情報１４ｄとを記憶している。従って、ＤＶＤ再生装置は、リモコン装置の同一ボタンが操作がされた場合であっても動作モードによって異なる動作を行う。【選択図】図６
2010258709.tif 000002
【特許請求の範囲】
【請求項１】
動作指示を行うための操作ボタンを有する表示装置から送信された、ＡＶ機器制御プロトコルに基づく制御コマンドを受信するためのコマンド受信手段と、
映像や音声のコンテンツを再生する再生手段と、
前記コマンド受信手段によって受信され得る複数の制御コマンドと、これらの制御コマンドの各々に対応した動作情報との対応テーブルを含む各種情報が記憶された記憶手段と、
前記再生手段を用いてコンテンツを再生している時の動作モードである再生モードを含む複数の動作モードを有し、前記コマンド受信手段によって受信された制御コマンドに対応する、前記対応テーブル中の動作情報に基き、自装置を動作させる制御手段とを備える再生装置において、
前記制御コマンドに対応する動作情報を、前記再生モードに対応した別の動作情報に変換する動作情報変換手段をさらに備え、
前記記憶手段は、前記再生モードにおいて使用しない制御コマンドについての情報である制御コマンド不使用情報を記憶し、
前記制御手段は、
前記再生モードを実行中に、前記コマンド受信手段によって前記表示装置から制御コマンドを受信したとき、前記制御コマンド不使用情報を参照し、受信した制御コマンドが前記再生モードにおいて使用しない制御コマンドである場合、前記動作情報変換手段を用いて、この制御コマンドに対応する動作情報を前記再生モードに対応した別の動作情報に変換し、変換した動作情報に基いて装置を動作させることを特徴とする再生装置。
【請求項２】
前記コマンド受信手段は、前記表示装置側のリモコン装置上に設けられた操作ボタンを用いたユーザによる動作指示に応じて前記表示装置から送信された制御コマンドを受信することを特徴とする請求項１に記載の再生装置。
【請求項３】
前記ＡＶ機器制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格であることを特徴とする請求項２に記載の再生装置。
【発明の詳細な説明】
【技術分野】
【０００１】
本発明は、ＨＤＭＩ（High Definition Multimedia Interface）−ＣＥＣ（Consumer Electronics Control）規格に対応した再生装置に関する。
【背景技術】
【０００２】
近年、ＨＤＭＩ−ＣＥＣ（以下、ＣＥＣという）規格に対応した種々のＡＶ機器が普及している。ＣＥＣ対応ＡＶ機器同士は、ＣＥＣ規格に基づく制御コマンドを送受信することにより相手側の機器を制御することができる。具体的には、例えば、ＣＥＣ規格に対応したテレビジョン受像機（以下、ＴＶ受像機という）を操作するためのＴＶ用リモコン装置を用いたユーザによる動作指示によって、このＴＶ受像機にＨＤＭＩケーブルを介して接続されたＤＶＤ再生装置に対して制御コマンドを送信することにより操作することができる（例えば、特許文献１乃至４参照）。
【０００３】
しかしながら、ＴＶ用リモコン装置には、一般的に、例えば「次チャプター」ボタンや、「早送り」ボタン等のＤＶＤ再生装置の動作に対応する操作ボタンが設けられていない場合が多いので、この種のリモコン装置ではＤＶＤ再生装置を十分に操作することができない。従って、ユーザにとって使い勝手が悪い。
【先行技術文献】
【特許文献】
【０００４】
【特許文献１】特開２００８−３０１２４９号公報
【特許文献２】特開２００８−２１９９３２号公報
【特許文献３】特開２００８−８４３６６号公報
【特許文献４】特開２００７−９７０９５号公報
【発明の概要】
【発明が解決しようとする課題】
【０００５】
本発明は、上述した問題点を解決するためになされたものであり、他の機器の操作ボタンを用いて操作を行う際に、ユーザにとって使い勝手がよい再生装置を提供することを目的とする。
【課題を解決するための手段】
【０００６】
上記目的を達成するために請求項１の発明は、動作指示を行うための操作ボタンを有する表示装置から送信された、ＡＶ機器制御プロトコルに基づく制御コマンドを受信するためのコマンド受信手段と、映像や音声のコンテンツを再生する再生手段と、前記コマンド受信手段によって受信され得る複数の制御コマンドと、これらの制御コマンドの各々に対応した動作情報との対応テーブルを含む各種情報が記憶された記憶手段と、前記再生手段を用いてコンテンツを再生している時の動作モードである再生モードを含む複数の動作モードを有し、前記コマンド受信手段によって受信された制御コマンドに対応する、前記対応テーブル中の動作情報に基き、自装置を動作させる制御手段とを備える再生装置において、前記制御コマンドに対応する動作情報を、前記再生モードに対応した別の動作情報に変換する動作情報変換手段をさらに備え、前記記憶手段は、前記再生モードにおいて使用しない制御コマンドについての情報である制御コマンド不使用情報を記憶し、前記制御手段は、前記再生モードを実行中に、前記コマンド受信手段によって前記表示装置から制御コマンドを受信したとき、前記制御コマンド不使用情報を参照し、受信した制御コマンドが前記再生モードにおいて使用しない制御コマンドである場合、前記動作情報変換手段を用いて、この制御コマンドに対応する動作情報を前記再生モードに対応した別の動作情報に変換し、変換した動作情報に基いて装置を動作させるものである。
【０００７】
請求項２に記載の発明は、請求項１に記載の再生装置において、前記コマンド受信手段は、前記表示装置側のリモコン装置上に設けられた操作ボタンを用いたユーザによる動作指示に応じて前記表示装置から送信された制御コマンドを受信するものである。
【０００８】
請求項３に記載の発明は、請求項２に記載の再生装置において、前記ＡＶ機器制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格であるものである。
【発明の効果】
【０００９】
本発明によれば、再生装置が、表示装置から制御コマンドを受信したとき、この制御コマンドが再生モードにおいて使用しない制御コマンドである場合、この制御コマンドに対応する動作情報を、再生モードに対応した別の動作情報に変換して装置を動作させる。そのため、再生装置におけるコンテンツの再生中の動作（再生モード中の動作）を指示するための操作ボタンを表示装置が有していない場合であっても、表示装置の操作ボタンを用いて再生装置に再生モード中の動作を指示することができるので、ユーザにとって使い勝手が良い。
【図面の簡単な説明】
【００１０】
【図１】本発明の一実施形態に係るＤＶＤ再生装置と、このＤＶＤ再生装置とＨＤＭＩケーブルを介して接続されたＴＶ受像機と、このＴＶ受像機を操作するリモコンとを示す斜視図。
【図２】上記ＤＶＤ再生装置の構成を示すブロック図。
【図３】上記ＴＶ受像機の構成を示すブロック図。
【図４】上記リモコンを示す上面図。
【図５】上記ＤＶＤ再生装置の対応テーブル情報の内容の一例を示す図。
【図６】上記ＤＶＤ再生装置の再生モード対応テーブル情報の内容の一例を示す図。
【図７】上記ＤＶＤ再生装置の動作処理を示すフローチャート。
【発明を実施するための形態】
【００１１】
本発明の一実施形態に係るＤＶＤ再生装置（再生装置）について、図１乃至図４を参照して説明する。図１は、ＤＶＤ再生装置１と、このＤＶＤ再生装置１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３を介して接続されたテレビジョン（以下、ＴＶという）受像機（表示装置）２との外観を示す。図２は、ＤＶＤ再生装置１の内部構成を示し、図３は、ＴＶ受像機２の内部構成を示す。図４は、ＴＶ受像機２を操作するためのリモコン装置４の上面を示す。
【００１２】
ＤＶＤ再生装置１は、ＤＶＤディスクｄ（図２参照）に録画されたＴＶ番組等のコンテンツを再生することができる装置であり、再生したコンテンツの映像信号や音声信号はＨＤＭＩケーブル３を介してＴＶ受像機２に出力する。リモコン装置４は、ユーザにより操作され、ＴＶ受像機２に対して所定の操作指示を行うためのものである。
【００１３】
ＤＶＤ再生装置１及びＴＶ受像機２は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基く制御コマンドを送受信可能である。ＤＶＤ再生装置１は、この制御コマンドに対応した動作情報に基いて自装置の動作を行う。
【００１４】
図２に示すように、ＤＶＤ再生装置１は、放送局から放送されるＴＶ放送信号に基づくＴＶ番組を受信するチューナ１１と、ユーザによって操作されるボタン等を有する操作部１２と、筐体外部に露出するように設けられたＨＤＭＩ端子部１３とを備える。また、ＤＶＤ再生装置１は、各種情報が記憶されるメモリ（記憶手段）１４と、ＤＶＤディスクｄが装着される光ディスクドライブ１５と、再生モードを含む複数の動作モードを有し、装置各部の制御を行う制御用マイコン（制御手段）１６とをさらに備える。
【００１５】
ＨＤＭＩ端子部１３には、ＴＶ受像機２と接続されたＨＤＭＩケーブル３の一端が接続される。メモリ１４は、制御用マイコン１６を動作させるためのプログラム１４ａと、対応テーブル情報１４ｂと、制御コマンド不使用情報１４ｃと、再生モード対応テーブル情報１４ｄとを記憶している。
【００１６】
対応テーブル情報１４ｂは、ＣＥＣ規格に対応する複数の制御コマンドと、これらの制御コマンドの各々に対応した動作情報とを含むテーブルである。
【００１７】
制御コマンド不使用情報１４ｃには、再生モード（ＤＶＤディスクｄに録画されたコンテンツの再生中）において使用しない制御コマンドの情報が含まれている。具体的には、例えばＣＥＣコマンドの「Ｒｅｍｏｔｅ  Ｃｏｎｔｒｏｌ  Ｐａｓｓｔｈｒｏｕｇｈ」機能における「Ｓｅｌｅｃｔ」コマンドや、「Ｌｅｆｔ」コマンド等のコマンドの情報が含まれている。再生モード対応テーブル情報１４ｄは、再生モードにおいて本来使用しない制御コマンドに対応する動作情報を、再生モードに対応した別の動作情報に変換するためのテーブルである。
【００１８】
光ディスクドライブ１５は、ＴＶ番組等のコンテンツを記録可能なＤＶＤディスクｄが内部に装着され、ＤＶＤディスクｄからのコンテンツの読み出しや、ＤＶＤディスクｄに対するコンテンツの書込みを行う。
【００１９】
制御用マイコン１６は、再生処理部（再生手段）１６ａと、録画処理部１６ｂと、ＣＥＣコマンド送受信部（コマンド受信手段）１６ｃと、動作情報変換部（動作情報変換手段）１６ｄとを有し、ユーザによる操作部１２の操作に基く動作情報や、ＴＶ受像機２から受信した制御コマンドに対応する、対応テーブル情報１４ｂ中や、再生モード対応テーブル情報１４ｄ中の動作情報に基いて自装置を動作させる。制御用マイコン１６は、再生処理部１６ａを用いてコンテンツを再生している時のモードである再生モードや、録画処理部１６ｂを用いてＴＶ番組をＤＶＤディスクｄに録画している時のモードである録画モードや、ＤＶＤ再生装置１の各種設定を行っている時のモードである設定操作モード等の複数の動作モードを有する。なお、制御用マイコン１６は、再生モードを実行中に、メニュー表示等の操作を行うことにより、設定操作モードに切替え可能である。
【００２０】
再生処理部１６ａは、チューナ１１によって受信されたＴＶ番組や、光ディスクドライブ１５によってＤＶＤディスクｄから読み出されたＴＶ番組等のコンテンツの再生を行い、再生されたコンテンツの映像信号及び音声信号をＨＤＭＩケーブル３を介してＴＶ受像機２に出力する処理を行う。録画処理部１６ｂは、チューナ１１から受信されたＴＶ番組をＤＶＤディスクｄに録画する録画処理を行う。
【００２１】
ＣＥＣコマンド送受信部１６ｃは、ＴＶ受像機２に対して制御コマンドの送受信を行う。送受信に用いられる制御コマンドは、ＨＤＭＩ−ＣＥＣ規格に基づくコマンドである。動作情報変換部１６ｄは、ＴＶ受像機２から再生モードで使用しない制御コマンドを受信したときに、再生モード対応テーブル情報１４ｄを参照してＴＶ受像機２から送信された制御コマンドに対応する動作情報を再生モードに対応した別の動作情報に変換する。
【００２２】
図３に示すように、ＴＶ受像機２は、ＴＶ番組等のコンテンツの映像を表示するディスプレイ２１と、ＴＶ番組等のコンテンツの音声を出力するスピーカ２２と、放送局から放送されるＴＶ放送信号に基づくＴＶ番組を受信するチューナ２３と、リモコン装置４から送信されたリモコン信号を受信するリモコン信号受信部２４とを備える。また、ＴＶ受像機２は、ＴＶ受像機の筐体外部に露出するように設けられたＨＤＭＩ端子部２５と、各種情報が記憶されるメモリ２６と、ＴＶ受像機２の各部を制御するための制御用マイコン２７とをさらに備える。
【００２３】
ＨＤＭＩ端子部２５には、ＤＶＤ再生装置１と接続されたＨＤＭＩケーブル３の一端が接続される。メモリ２６には、制御用マイコン２７を動作させるためのプログラム２６ａが記憶されている。
【００２４】
制御用マイコン２７は、映像出力部２７ａと、音声出力部２７ｂと、ＣＥＣコマンド送受信部２７ｃとを有する。映像出力部２７ａは、チューナ２３によって受信されたＴＶ番組や、ＨＤＭＩケーブル３を介してＤＶＤ再生装置１から送信されたＴＶ番組の映像をディスプレイ２１に出力する。音声出力部２７ｂは、チューナ２３によって受信されたＴＶ番組や、ＨＤＭＩケーブル３を介してＤＶＤ再生装置１から送信されたＴＶ番組の音声をスピーカ２２に出力する。
【００２５】
ＣＥＣコマンド送受信部２７ｃは、ＤＶＤ再生装置１に対して制御コマンドの送受信を行うものであり、例えば、ユーザによってリモコン装置４上に設けられた各種操作ボタンが操作されると、この操作による動作指示に対応した制御コマンドをＤＶＤ再生装置１に送信する。送受信に用いられる制御コマンドは、ＨＤＭＩ−ＣＥＣ規格に基づくコマンドである。
【００２６】
リモコン装置４は、図４に示すように、「０」乃至「９」の１０個の数字に対応する「０」〜「９」までの数字キー４１ａ〜４１ｊと、入力した文字や数字を消去するクリアキー４２と、上下左右の各方向に操作可能な十字キー４３（４３ａ〜４３ｄの総称）と、各種入力を確定するための決定キー４４とを有する。また、リモコン装置４は、スピーカ２２から出力する音量値の調節を行うための音量調節キー４５（４５ａ、４５ｂの総称）と、ＴＶ受像機２に対して操作信号を送信するための送信部４０と、再生を指示する再生ボタン４６ａと、停止を指示する停止ボタン４６ｂと、メニュー表示を指示するためのメニュー表示ボタン４７をさらに有する。
【００２７】
リモコン装置４を操作することによりＴＶ受像機２に送信された動作指示は、ＨＤＭケーブル３を介してＤＶＤ再生装置１に送信される。すなわち、リモコン装置４が操作されると、ＴＶ受像機２がリモコン装置４から送信された動作指示に対応する制御コマンドをＤＶＤ再生装置１に送信するため、ユーザはリモコン装置４を操作することによりＤＶＤ再生装置１を操作可能である。
【００２８】
次に、対応テーブル情報１４ｂ内、及び再生モード対応テーブル情報１４ｄ内の情報の一例について、図５及び図６に示すテーブルを参照して説明する。図５は、対応テーブル情報１４ｂの内容の一例を示し、図６は、再生モード対応テーブル情報１４ｄの内容の一例を示す。なお、図５、及び図６には、説明の便宜上、各制御コマンドに対応するリモコン装置４のボタン操作Ｐをそれぞれ示す。また、ＴＶ受像機２は、リモコン装置４が操作されると、ＣＥＣコマンドにおける「Ｒｅｍｏｔｅ  Ｃｏｎｔｒｏｌ  Ｐａｓｓｔｈｒｏｕｇｈ」機能の各種コマンドを送信し、ＤＶＤ再生装置１は、この種のコマンドを受信するものとする。
【００２９】
図５に示すように、ＤＶＤ再生装置１は、リモコン装置４の決定ボタン４４が操作されると「Ｓｅｌｅｃｔ」コマンドを受信し、リモコン装置４の左ボタン４３ｄが操作されると「Ｌｅｆｔ」コマンドを受信する。また、ＤＶＤ再生装置１は、リモコン装置４の右ボタン４３ｃが操作されると「Ｒｉｇｈｔ」コマンドを受信し、リモコン装置４の上ボタン４３ａが操作されると「Ｕｐ」コマンドを受信し、リモコン装置４の下ボタン４３ｂが操作されると「Ｄｏｗｎ」コマンドを受信する。
【００３０】
ＤＶＤ再生装置１が再生モード以外の動作モード（例えば、設定操作モード）で動作している場合、図５に示すように、「Ｓｅｌｅｃｔ」コマンドに対応する動作情報は「決定」であり、「Ｌｅｆｔ」コマンドに対応する動作情報は「左移動」であり、「Ｒｉｇｈｔ」コマンドに対応する動作情報は「右移動」である。また、「Ｕｐ」コマンドに対応する動作情報は「上移動」であり、「Ｄｏｗｎ」コマンドに対応する動作情報は「下移動」である。
【００３１】
一方、再生モード対応テーブル情報１４ｄの内容は、図６に示すように、「Ｓｅｌｅｃｔ」コマンドに対応する動作情報は「一時停止」であり、「Ｌｅｆｔ」コマンドに対応する動作情報は「早戻し」であり、「Ｒｉｇｈｔ」コマンドに対応する動作情報は「早送り」である。また、「Ｕｐ」コマンドに対応する動作情報は「次チャプター移行」であり、「Ｄｏｗｎ」コマンドに対応する動作情報は「前チャプター移行」である。ＴＶ受像機２から再生モードで使用しない制御コマンドを受信したときに、制御用マイコン１６の動作情報変換部１６ｄは、対応テーブル情報１４ｂではなく、再生モード対応テーブル情報１４ｄを参照するので、ＤＶＤ再生装置１は、リモコン装置４の同一のボタンが操作された場合であっても、動作モードに応じた異なる動作を行うことができる。
【００３２】
次に、制御コマンドを受信した際のＤＶＤ再生装置１の動作処理について、図７に示すフローチャートを参照して説明する。ここでは、ＤＶＤ再生装置１がＴＶ受像機２から送信された制御コマンドを受信し、この制御コマンドに基いて動作するものとする。また、ＤＶＤ再生装置１は再生モードとして動作中（再生処理部１６ａによるコンテンツの再生中）であるものとする。
【００３３】
まず、ＤＶＤ再生装置１のＣＥＣコマンド送受信部１６ｃが、ＴＶ受像機２から制御コマンドを受信すると（Ｓ１）、制御用マイコン１６は、制御コマンド不使用情報１４ｃを参照して（Ｓ２）、受信した制御コマンドが再生モードにおいて使用しない制御コマンドであるか否かを判別する（Ｓ３）。
【００３４】
この判別の結果、使用しない制御コマンドである場合（Ｓ４でＹＥＳ）、制御用マイコン１６（動作情報変換部１６ｄ）は、再生モード対応テーブル情報１４ｄを参照して、この制御コマンドに対応する動作情報を別の動作情報に変換する（Ｓ５）。具体的には、例えば、「Ｓｅｌｅｃｔ」コマンドを受信した場合、この制御コマンドは再生モードでは使用しないので、図５に示す動作情報「決定」ではなく、図６に示す動作情報「一時停止」を使用する。
【００３５】
そして、制御用マイコン１６は、変換後の動作情報（例えば図６に示す動作情報「一時停止」）に基いて装置を動作させる（Ｓ６）。一方、上記Ｓ３の判別の結果、使用しない制御コマンドでない場合（Ｓ４でＮＯ）、制御用マイコン１６は、対応テーブル情報１４ｂを参照してＴＶ受像機２から受信した制御コマンドに対応する動作情報に基いて装置を動作させる（Ｓ７）。
【００３６】
上述したように、本実施形態に係るＤＶＤ再生装置１においては、ＴＶ受像機２から制御コマンドを受信したとき、この制御コマンドが再生モードにおいて使用しない制御コマンドである場合、この制御コマンドに対応する動作情報を、再生モードに対応した別の動作情報に変換して自装置１を動作させる。そのため、ＤＶＤ再生装置１の再生モード中の動作を指示するための操作ボタンを、リモコン装置４が有しない場合であっても、リモコン装置４の操作ボタンを用いてＤＶＤ再生装置に再生モード中の動作を指示することができるので、ユーザにとって使い勝手が良い。
【００３７】
また、ＤＶＤ再生装置１とＴＶ受像機２とは、ＣＥＣ規格に従って制御コマンドの送受信を行うので、独自プロトコルに対応した専用機器や専用ソフトウェア等の導入コストをかける必要がない。従って、ＤＶＤ再生装置１の製造コストを低減させることができる。
【００３８】
なお、本発明は、上記実施形態の構成に限られず、発明の趣旨を変更しない範囲で種々の変形が可能である。例えば、ＴＶ受像機２から送信される制御コマンドとして「Ｒｅｍｏｔｅ  Ｃｏｎｔｒｏｌ  Ｐａｓｓｔｈｒｏｕｇｈ」機能の各種コマンドを示したが、これに限られず、その他のＣＥＣコマンドであってもよい。また、上記実施形態では請求項に示す再生装置がＤＶＤ再生装置である場合を示したが、これに限られず、例えば、ＣＥＣ規格に対応したハードディスクレコーダ等の機器であってもよい。
【符号の説明】
【００３９】
１  ＤＶＤ再生装置（再生装置）
２  ＴＶ受像機（表示装置）
４  リモコン装置
１４  メモリ（記憶手段）
１５  光ディスクドライブ（再生手段）
１６  制御用マイコン（制御手段）
４３  十字キー（操作ボタン）
４４  決定ボタン（操作ボタン）
１４ｂ  対応テーブル情報（対応テーブル）
１４ｃ  制御コマンド不使用情報
１４ｄ  再生モード対応テーブル情報（対応テーブル）
１６ａ  再生処理部（再生手段）
１６ｃ  ＣＥＣコマンド送受信部（コマンド受信手段）
１６ｄ  動作情報変換部（動作情報変換手段）
【図１】
2010258709.tif 000003
【図２】
2010258709.tif 000004
【図３】
2010258709.tif 000005
【図４】
2010258709.tif 000006
【図５】
2010258709.tif 000007
【図６】
2010258709.tif 000008
【図７】
2010258709.tif 000009